(57)【要約】【課題】画像出力装置の色再現可能域を最大限に利用した色補正を可能にする。【解決手段】色補正手段は、第１の表色系からなる第１画像データを機器に依存しない色信号である対機器独立信号に変換する第１色座標変換部２１と、第１画像データにおける黒色点のデータを、画像出力手段の色再現可能域に応じて画像出力手段の出力における黒色点のデータに対応させることにより、第２の表色系からなる第２画像データの黒信号を決定する黒色点補正部２３と、対機器独立信号を第２画像データに変換し、この変換において、黒色点補正部２３から得られる第２画像データの黒信号に基づいて、第２画像データの黒信号以外の色成分の信号を決定する第５色座標変換部２８とを備える。【選択図】　図１
2004048440.tif 000002
【特許請求の範囲】
【請求項１】
入力された第１の表色系からなるカラー画像データである第１画象データを、少なくとも黒色信号を含む４つ以上の第２の表色系からなるカラー画像データである第２画像データに変換して画像出力手段に出力する色補正手段を備える画像処理装置において、
前記色補正手段は、第１画像データを機器に依存しない色信号である対機器独立信号に変換する第１の色座標変換部と、
第１画像データにおける黒色点のデータを、前記画像出力手段の色再現可能域に応じて前記画像出力手段の出力における黒色点のデータに対応させることにより、第２画像データの黒信号を決定する黒色点補正部と、
前記対機器独立信号を第２画像データに変換するとともに、この変換において、前記黒色点補正部から得られる第２画像データの黒信号に基づいて、第２画像データの黒信号以外の色成分の信号を決定する第２の色座標変換部とを備えていることを特徴とする画像処理装置。
【請求項２】
第１画像データが示す原稿の種類を判別する原稿種別判別手段を備え、前記黒色点補正部は、さらに前記原稿種別判別手段により判別された原稿の種別に応じて、第２画像データの黒信号を決定することを特徴とする請求項１に記載の画像処理装置。
【請求項３】
前記黒色点補正部は、前記原稿種別判別手段により第１画像データが示す原稿の種類が印刷写真と判別された場合に、印画紙写真と判別された場合よりも、原稿の黒色点を表す前記対機器独立信号の明度を高い値に設定することを特徴とする請求項１に記載の画像処理装置。
【請求項４】
前記の色補正手段は、さらに、第１画像データの彩度を表すデータに基づいて、第２画像データの黒信号を補正する黒生成パラメータ演算部を備えていることを特徴とする請求項１に記載の画像処理装置。
【請求項５】
入力された第１の表色系からなるカラー画像データである第１画象データを、少なくとも黒色信号を含む４つ以上の第２の表色系からなるカラー画像データである第２画像データに変換して画像出力手段に出力する色補正処理を行う画像処理方法において、
前記色補正処理は、第１画像データを機器に依存しない色信号である対機器独立信号に変換する第１のステップと、
第１画像データにおける黒色点のデータを、前記画像出力手段の色再現可能域に応じて前記画像出力手段の出力における黒色点のデータに対応させることにより、第２画像データの黒信号を決定する第２のステップと、
前記対機器独立信号を第２画像データに変換するとともに、この変換において、第２のステップにより得られる第２画像データの黒信号に基づいて、第２画像データの黒信号以外の色成分の信号を決定する第３のステップとを備えていることを特徴とする画像処理方法。
【請求項６】
コンピュータに請求項１から４の何れか１項に記載の色補正手段の機能を実現させるためのプログラム。
【請求項７】
請求項６に記載のプログラムを記録したコンピュータ読み取り可能な記録媒体。
【請求項８】
請求項１から４の何れか１項に記載の画像処理装置を備えていることを特徴とする画像形成装置。
【発明の詳細な説明】
【０００１】
【発明の属する技術分野】
本発明は、例えばデジタルカラー複写機に使用され、入力画像データに対して色補正処理を行う画像処理方法、画像処理装置、画像形成装置、プログラムおよび記録媒体に関するものである。
【０００２】
【従来の技術】
従来のカラー画像形成装置としての例えばデジタルカラー複写機は、図８のブロック図に示すように、操作パネル１０４を有し、スキャナ等のカラー画像入力装置１０１からの入力データを、カラー画像処理装置１０２にて処理し、電子写真プロセスやインクジェット方式を用いたカラー画像出力装置１０３にて印字出力するようになっている。
【０００３】
カラー画像処理装置１０２は、Ａ／Ｄ変換部１１１、シェーディング補正部１１２、入力階調補正部１１３、領域分離処理部１１４、色補正部１１５、黒生成下色除去部１１６、空間フィルタ処理部１１７、出力階調補正部１１８および階調再現処理部１１９から構成されている。
【０００４】
カラー画像処理装置１０２における色補正部１１５および黒生成下色除去部１１６での処理方法については、下記のようにいくつかの処理方法がある。
【０００５】
第１の例としては、色補正部１１５に３次元ルックアップテーブルを用い、黒生成下色除去部１１６での黒生成処理として後述のスケルトンブラックによる黒生成を行う一般的な方法がある。
【０００６】
上記の３次元ルックアップテーブルは次のような方法により作成可能である。まず、カラー画像入力装置１０１からの各色カラーの入力データであるＲＧＢ信号をＣＩＥＬ＊ａ＊ｂ＊信号のような機器に依存しない色信号に変換（ＲＧＢ→ＣＩＥＬ＊ａ＊ｂ＊変換）するためのＲＧＢ信号とＣＩＥＬ＊ａ＊ｂ＊信号との対応関係を求める。なお、ＣＩＥは、Ｃｏｍｍｉｓｓｉｏｎ　Ｉｎｔｅｒｎａｔｉｏｎａｌｅ　ｄｅ　ｌ’Ｅｃｌａｉｒａｇｅ（国際照明委員会）の略であり、Ｌ＊は明度を表し、ａ＊，ｂ＊は色度を表す。また、上記の対応関係は、ニューラルネットワークの使用やマスキング演算係数決定方法により求めることができる。
【０００７】
次に、ＣＩＥＬ＊ａ＊ｂ＊信号をカラー画像出力装置のデータであるＣＭＹ信号に変換（ＣＩＥＬ＊ａ＊ｂ＊→ＣＭＹ変換）するための対応関係を求める。この対応関係についても同様にニューラルネットワークの使用やマスキング演算係数決定方法により求めることができる。
【０００８】
次に、これらＲＧＢ→ＣＩＥＬ＊ａ＊ｂ＊変換とＣＩＥＬ＊ａ＊ｂ＊→ＣＭＹ変換とを結合させて、ＲＧＢ→ＣＭＹ変換のルックアップテーブルを作成する。
【０００９】
次に、黒生成下色除去部１１６での黒生成処理に用いられるスケルトンブラックについて説明する。黒生成下色除去部１１６では、色補正部１１５での処理の次段にて、色補正後のＣＭＹの３色信号から黒（Ｋ）信号を生成する黒生成処理、および元のＣＭＹ信号から黒生成処理により得られたＫ信号を差し引いて新たなＣＭＹ信号を生成する処理が行われる。この処理により、ＣＭＹの３色信号はＣＭＹＫの４色信号に変換される。
【００１０】
黒生成下色除去処理は、スケルトンカーブの入出力特性をｙ＝ｆ（ｘ）とし、入力されるデータをＣ，Ｍ，Ｙとし、出力されるデータをＣ’，Ｍ’，Ｙ’，Ｋ’とし、ＵＣＲ（Ｕｎｄｅｒ　Ｃｏｌｏｒ　Ｒｅｍｏｖａｌ）率をγ（０＜γ＜１）とすると、以下の式（１）で表わされる。
【００１１】
【数１】
2004048440.tif 000003
【００１２】
第２の例としては、特開２００１−１６９１３１号公報に開示されているように、原稿の黒色信号と同一もしくはほぼ同一の濃度となるものを出力用の黒色信号とした後、この黒色信号と機器に依存しない信号とに基づいてＣＭＹ信号を決定する色補正方法がある。
【００１３】
【発明が解決しようとする課題】
しかながら、上記従来の構成では、以下に示すような問題が生じる。
第１の例に示した構成では、色補正部１１５における３次元のルックアップテーブルの作成時に使用されるＣＩＥＬ＊ａ＊ｂ＊信号にて原稿の黒色点（ブラックポイント）を出力装置の黒色点に変換する際に、原稿の黒色点がＣＭＹの組み合わせにて再現可能な色の範囲を超えている場合には、３次元のルックアップテーブルでは黒色点の補正が不可能である。
【００１４】
また、原稿の黒色点がＣＭＹの組み合わせにて再現可能な色の範囲を超えており、かつＣＭＹＫの組み合わせにて再現可能な色の範囲内の場合には、スケルトンカーブの入出力特性や、ＵＣＲ率の変更にて対応可能である。しかしながら、この場合には、機器に依存しない色信号を用いておらず、かつスケルトンカーブの入出力特性が１次元のルックアップテーブルであるため、調整が困難かつ不正確である。
【００１５】
第２の例に示した構成では、原稿の黒色信号と同一もしくはほぼ同一の濃度となるものを出力用の黒色信号とした後、この黒色信号と機器に依存しない信号とに基づいてＣＭＹ信号を決定しているので、原稿の黒色信号の濃度（測定値）に近い黒色を再現可能である。しかしながら、出力装置の色再現可能域が黒色付近において原稿の黒色より大きい場合には、出力装置の色再現可能域を最大限に使用することができず、原稿に応じた良好な色再現を行うことができない。即ち、例えば濃度が低い原稿の場合には、原稿を忠実に再現するよりも色を濃くして出力した方が画質を向上可能であるものの、上記の構成ではこのような対応を行うことができない。
【００１６】
したがって、本発明は、入力された画像データに対して、原稿色の良好な再現が可能であり、かつ色補正後の画像データを例えば用紙上に出力する画像出力装置の色再現可能域を最大限に利用した色補正を行うことができる画像処理方法、画像処理装置、画像形成装置、プログラムおよび記録媒体の提供を目的としている。
【００１７】
【課題を解決するための手段】
上記の課題を解決するために、本発明の画像処理装置は、入力された第１の表色系からなるカラー画像データである第１画象データを、少なくとも黒色信号を含む４つ以上の第２の表色系からなるカラー画像データである第２画像データに変換して画像出力手段に出力する色補正手段を備える画像処理装置において、前記色補正手段は、第１画像データを機器に依存しない色信号である対機器独立信号に変換する第１の色座標変換部と、第１画像データにおける黒色点のデータを、前記画像出力手段の色再現可能域に応じて前記画像出力手段の出力における黒色点のデータに対応させることにより、第２画像データの黒信号を決定する黒色点補正部と、前記対機器独立信号を第２画像データに変換するとともに、この変換において、前記黒色点補正部から得られる第２画像データの黒信号に基づいて、第２画像データの黒信号以外の色成分の信号を決定する第２の色座標変換部とを備えていることを特徴としている。
【００１８】
また、本発明の画像処理方法は、入力された第１の表色系からなるカラー画像データである第１画象データを、少なくとも黒色信号を含む４つ以上の第２の表色系からなるカラー画像データである第２画像データに変換して画像出力手段に出力する色補正処理を行う画像処理方法において、前記色補正処理は、第１画像データを機器に依存しない色信号である対機器独立信号に変換する第１のステップと、第１画像データにおける黒色点のデータを、前記画像出力手段の色再現可能域に応じて前記画像出力手段の出力における黒色点のデータに対応させることにより、第２画像データの黒信号を決定する第２のステップと、前記対機器独立信号を第２画像データに変換するとともに、この変換において、第２のステップにより得られる第２画像データの黒信号に基づいて、第２画像データの黒信号以外の色成分の信号を決定する第３のステップとを備えていることを特徴としている。
【００１９】
上記の構成によれば、第２の表色系からなるカラー画像データである第２画像データの黒信号が、第１の表色系からなるカラー画像データである第１画像データにおける黒色点のデータを、画像出力手段の色再現可能域に応じて画像出力手段の出力における黒色点のデータに対応させることにより決定される。さらに、対機器独立信号を第２画像データに変換する際には、上記のようにして決定された黒信号に基づいて、第２画像データの黒信号以外の色成分の信号が決定される。したがって、画像出力装置の色再現可能域を最大限度に利用した良好な色再現が可能となる。
【００２０】
上記の画像処理装置は、第１画像データが示す原稿の種類を判別する原稿種別判別手段を備え、前記黒色点補正部は、さらに前記原稿種別判別手段により判別された原稿の種別に応じて、第２画像データの黒信号を決定する構成としてもよい。
【００２１】
上記の構成によれば、黒色点補正部により、さらに原稿の種別に応じて、自動的に第２画像データの黒信号が決定されるので、ユーザの手を煩わせることなく、原稿の種別に応じた良好な色再現を行うことが可能となる。
【００２２】
上記の画像処理装置は、前記黒色点補正部が、前記原稿種別判別手段により第１画像データが示す原稿の種類が印刷写真と判別された場合に、印画紙写真と判別された場合よりも、原稿の黒色点を表す前記対機器独立信号の明度を高い値に設定する構成としてもよい。
【００２３】
上記の構成によれば、第１画像データが示す原稿の種類が印刷写真である場合には印画紙写真である場合よりも原稿の黒色点を表す前記対機器独立信号の明度を高い値に設定される。したがって、印刷系原稿の場合には印画紙系原稿の場合よりも明度を高くした方が色再現性が良好となるという、印刷写真と印画紙写真との違いを考慮した良好な色再現が可能となる。即ち、原稿に応じた良好な色再現を行うことが可能となる。
【００２４】
上記の画像処理装置は、前記の色補正手段が、さらに、第１画像データの彩度を表すデータに基づいて、第２画像データの黒信号を補正する黒生成パラメータ演算部を備えている構成としてもよい。
【００２５】
上記の構成によれば、さらに画像データの彩度を考慮して黒信号が設定されるので、画像出力装置の色再現可能域をさらに適切に最大限度に利用することができ、良好な色再現を促進することができる。
【００２６】
本発明のプログラムは、コンピュータに上記の何れかの色補正手段の機能を実現させるためのものである。
【００２７】
上記の構成によれば、パーソナルコンピュータやワークステーション等の汎用のコンピュータにより色補正手段を実現することができる。
【００２８】
本発明の記録媒体は、上記のプログラムを記録したコンピュータ読み取り可能なものである。
【００２９】
上記の構成によれば、パーソナルコンピュータやワークステーション等の汎用のコンピュータにＣＤ−ＲＯＭ（Ｃｏｍｐａｃｔ　Ｄｉｓｃ−Ｒｅａｄ　Ｏｎｌｙ　Ｍｅｍｏｒｙ）等の記録媒体を介して、あるいはネットワークからのダウンロードによりプログラムを読み込ませて、読み込まれた画像に対して原稿の黒色点に応じて画像出力手段の黒色点を対応させて黒信号を決定し色補正処理を施し画像を出力することができる。また、ＤＰＳ（Ｄｉｇｉｔａｌ　Ｓｉｇｎａｌ　Ｐｒｏｃｅｓｓｏｒ）などで、ソフト処理を行うプリンタやデジタル複写機等に対しても同様に、フラッシュメモリや、書き換え可能な記録媒体にプログラム、テーブル、パラメータを読み込ませて、読み込まれた画像に対して上記色補正を施し画像を出力することができる。
【００３０】
本発明の画像形成装置は、上記の画像処理装置を備えていることを特徴としている。
【００３１】
上記の構成によれば、画像入力手段より入力される原稿の黒色点に応じて画像出力手段の黒色点を対応させることにより黒信号を決定し、その黒信号を基にしてＣＭＹ信号を求めるので、原稿に応じた良好な色再現を実現でき、かつ画像出力装置の色再現可能域を最大限度に利用することができる画像形成装置を提供することができる。
【００３２】
【発明の実施の形態】
本発明の実施の一形態を図１ないし図７に基づいて以下に説明する。
本実施の形態のカラー画像処理装置を備えたカラー画像形成装置としてのデジタルカラー複写機は、図２のブロック図に示すように、カラー画像入力装置（画像入力手段）１、カラー画像処理装置２、カラー画像出力装置（画像出力手段）３および操作パネル４を備えている。
【００３３】
カラー画像入力装置１は、例えばＣＣＤ（Ｃｈａｒｇｅ　Ｃｏｕｐｌｅｄ　Ｄｅｖｉｃｅ　）を備えたスキャナ部より構成され、原稿からの反射光像を、ＲＧＢ（Ｒ：赤・Ｇ：緑・Ｂ：青）のアナログ信号としてＣＣＤにて読み取り、カラー画像処理装置２に出力するものである。
【００３４】
カラー画像処理装置２は、Ａ／Ｄ変換部（アナログ／デジタル変換部）１１、シェーディング補正部１２、入力階調補正部１３、領域分離処理部１４、色補正部（色補正手段）１５、空間フィルタ処理部１６、出力階調補正部１７および階調再現処理部１８からなる。
【００３５】
カラー画像入力装置１にて読み取られたアナログ信号は、カラー画像処理装置２内を、Ａ／Ｄ変換部１１、シェーディング補正部１２、入力階調補正部１３、領域分離処理部１４、色補正部１５、空間フィルタ処理部１６、出力階調補正部１７および階調再現処理部１８の順に送られ、ＣＭＹＫのデジタルカラー信号として、カラー画像出力装置３へ出力される。
【００３６】
Ａ／Ｄ変換部１１はＲＧＢのアナログ信号をデジタル信号に変換する。シェーディング補正部１２は、Ａ／Ｄ変換部１１より送られてきたデジタルのＲＧＢ信号に対して、カラー画像入力装置１の照明系、結像系および撮像系にて生じる各種の歪みを取り除く処理を施す。
【００３７】
入力階調補正部１３は、シェーディング補正部１２にて各種の歪みが取り除かれたＲＧＢ信号（ＲＧＢの反射率信号）に対して、カラーバランスを整えるとともに、濃度信号などのカラー画像処理装置２において扱い易い信号に変換する処理を行う。
【００３８】
領域分離処理部１４は、入力階調補正部１３から出力されたＲＧＢ信号からなる入力画像において、入力画像中の各画素を文字領域、網点領域あるいは写真領域の何れかに分離する。また、領域分離処理部１４は、上記の分離結果に基づき、画素がどの領域に属しているかを示す領域識別信号を、空間フィルタ処理部１６および階調再現処理部１８に出力するとともに、入力階調補正部１３からの入力信号をそのまま次段の色補正部１５に出力する。
【００３９】
色補正部１５は、忠実な色再現のために、不要吸収成分を含むＣＭＹ（Ｃ：シアン、Ｍ：マゼンタ、Ｙ：イエロー）色材の分光特性に基づいた色濁りを取り除く処理を行う。また、色補正部１５は、後に詳述するように、黒色点の補正および黒生成（Ｋ信号の生成）を行う。
【００４０】
空間フィルタ処理部１６は、色補正部１５から入力されたＣＭＹＫ信号の画像データに対して、領域分離処理部１４からの領域識別信号に基づき、デジタルフィルタによる空間フィルタ処理を行い、空間周波数特性を補正する。これにより、出力画像のぼやけや粒状性劣化を防ぐように処理する。
【００４１】
出力階調補正部１７は、空間フィルタ処理部１６より出力されたＣＭＹＫ信号をカラー画像出力装置３の特性値である網点面積率に変換する出力階調補正処理を行う。
【００４２】
階調再現処理部１８は、ＣＭＹＫ信号の画像データに対して、領域分離処理部１４からの領域識別信号に基づき、所定の階調再現処理を施す。
【００４３】
例えば、領域分離処理部１４にて文字に分離された領域に対しては、空間フィルタ処理部１６において、特に黒文字あるいは色文字の再現性を高めるために、鮮鋭強調処理により高周波数の強調量が大きくされる。さらに、階調再現処理部１８において、高域周波数の再現に適した高解像度のスクリーンでの二値化または多値化処理が選択して行われる。
【００４４】
領域分離処理部１４にて網点に分離された領域に対しては、空間フィルタ処理部１６において、入力網点成分を除去するためのローパス・フィルタ処理が施される。さらに、階調再現処理部１８にて、最終的に画像を画素に分離してそれぞれの階調を再現できるようにする階調再現処理（中間調生成）が施される。
【００４５】
領域分離処理部１４にて写真に分離された領域に対しては、階調再現処理部１８において、階調再現性を重視したスクリーンでの二値化または多値化処理が行われる。
【００４６】
上述の各処理が施された画像データは、一旦例えばカラー画像処理装置２が備える記憶手段（図示せず）に記憶され、所定のタイミングで読み出されてカラー画像出力装置３に入力される。
【００４７】
カラー画像出力装置３は、カラー画像処理装置２から入力された画像データを紙等の記録媒体上に出力する。このカラー画像出力装置３としては、例えば電子写真方式やインクジェット方式を用いたカラー画像形成装置等を挙げることができるものの、特にこれに限定されない。
【００４８】
なお、以上の処理は、図示しない制御手段としての制御装置（例えば、ＣＰＵ：Ｃｅｎｔｒａｌ　Ｐｒｏｃｅｓｓｉｎｇ　Ｕｎｉｔ）により制御される。
【００４９】
次に、上記色補正部１５の構成を図１に基づいて詳細に説明する。
図１に示すように、色補正部１５は、第１色座標変換部２１、第２色座標変換部２２、黒色点補正部２３、第３色座標変換部２４、第４色座標変換部２５、黒生成パラメータ演算部２６、黒色点補正部２７および第５色座標変換部２８から構成されている。
【００５０】
第１色座標変換部２１は、画像データであるＲＧＢ信号（第１の表色系よりなるカラー画像データ）をＣＩＥＬ＊ａ＊ｂ＊信号に変換する。即ち、ＲＧＢ→ＣＩＥＬ＊ａ＊ｂ＊変換を行う。なお、ＣＩＥはＣｏｍｍｉｓｓｉｏｎ　Ｉｎｔｅｒｎａｔｉｏｎａｌｅ　ｄｅ　ｌ’Ｅｃｌａｉｒａｇｅ（国際照明委員会）の略であり、Ｌ＊は明度を表し、ａ＊，ｂ＊は色度を表す。また、ＣＩＥＬ＊ａ＊ｂ＊信号は機器に依存しない色信号（対機器独立信号）である。また、ＲＧＢと信号とＬ＊ａ＊ｂ＊信号との対応関係（ＲＧＢ−Ｌ＊ａ＊ｂ＊）、およびＬ＊ａ＊ｂ＊信号とＣＭＹ信号との対応関係（Ｌ＊ａ＊ｂ＊−ＣＭＹ）は、ニューラルネットワークの使用やマスキング演算係数決定方法により求めることができる。
【００５１】
第２色座標変換部２２は、ＣＩＥＬ＊ａ＊ｂ＊信号をＬ＊Ｃ＊Ｈ（Ｈ：色相）信号に変換する。即ち、ＣＩＥＬ＊ａ＊ｂ＊→Ｌ＊Ｃ＊Ｈ変換を行う。
この変換は次の式（２）に示される。
【００５２】
【数２】
2004048440.tif 000004
【００５３】
黒色点補正部２３では次の処理が行われる。
黒色点補正部２３は、原稿の黒色点の明度Ｌ＊を、カラー画像出力装置３の出力における黒色点の明度Ｌ＊’に変換する。この場合、原稿の黒色点の明度Ｌ＊は、カラー画像出力装置３の出力における色再現可能域を考慮した黒色点の明度Ｌ＊’に変換される。即ち、カラー画像出力装置３の出力における色再現可能域を有効に利用することを考慮した変換が行われる。
【００５４】
この変換は、例えば図３のグラフに示される。同図に示すＬ＊ｏは原稿における黒色点の明度の最小値を示し、明度Ｌ＊’ｏはカラー画像出力装置３の出力における黒色点の明度の最小値を示す。これら明度Ｌ＊ｏ，Ｌ＊’ｏについては、各原稿モードに応じた値が黒色点記憶部２７に蓄えられており、設定された原稿モードに応じてその原稿モードに対応するように明度Ｌ＊ｏ，Ｌ＊’ｏ　が切り替えられる。
【００５５】
上記の原稿モードとしては、文字モード、印刷写真モード、印画紙写真モードおよび文字／写真モードなどが予め用意されており、これら原稿モードは、液晶ディスプレイなどの表示部とテンキー、設定ボタンおよび決定ボタンなどを備える操作パネル４において、ユーザが選択することにより設定される。
【００５６】
また、印刷系の原稿モードの場合には、印画紙系の原稿モードの場合よりも上記の明度Ｌ＊ｏとして高い値を用いた方がより良好な色再現性を得る上において好ましい。これは、一般に印刷の原稿における黒の最大濃度が印画紙のそれよりも薄いことによる。
【００５７】
また、原稿黒色点の明度の最大値Ｌ＊１については、Ｌ＊１＝Ｌ＊’１（出力黒色点の明度の最大値）としており、黒色点補正部２３においてはこのＬ＊１以上の値については黒色点補正を行わない。即ち、原稿モードによる切り替えは行わない。
【００５８】
黒色点記憶部２７は、原稿モード毎に上記のデータをテーブルとして格納している。このテーブルに存在しない明度Ｌ＊が入力された場合、黒色点補正部２３は、黒色点記憶部２７に存在するデータに基づいて線形補間を行うことにより、上記明度Ｌ＊を明度Ｌ＊’に変換する。
【００５９】
上記のような処理は、γテーブルを使用した変換によっても可能であり、この場合には、黒色点記憶部２７が各原稿モード用のγテーブルを保持するようにしておけばよい。あるいは、原稿モード毎にそれぞれの関数を黒色点記憶部２７に格納しておき、演算により明度Ｌ＊に応じた明度Ｌ＊’を求めるようにしてもよい。
【００６０】
第３色座標変換部２４は、第２色座標変換部２２とは逆に、Ｌ＊Ｃ＊Ｈ信号をＣＩＥＬ＊ａ＊ｂ＊信号に変換する。即ち、Ｌ＊Ｃ＊Ｈ→ＣＩＥＬ＊ａ＊ｂ＊変換を行う。この変換は次の式（３）に示される。
【００６１】
【数３】
2004048440.tif 000005
【００６２】
第４色座標変換部２５は、最大墨量の条件を満たしたＣＩＥＬ＊ａ＊ｂ＊信号をＫ信号（黒信号）に変換する。即ち、ＣＩＥＬ＊ａ＊ｂ＊→Ｋ変換を行う。第４色座標変換部２５では、この色座標変換値について予め次の方法により求め、その結果を例えばダイレクトルックアップテーブル（直接変換法により処理を行うルックアップテーブル）に記憶している。
【００６３】
この第４色座標変換部２５での処理を図４のフローチャートに示す。同図において、Ｓ１１〜Ｓ１９の一連の処理、Ｓ１１，Ｓ２２〜Ｓ２７，Ｓ１８およびＳ１９の一連の処理、Ｓ１１，Ｓ３２〜Ｓ３７，Ｓ１８およびＳ１９の一連の処理は、それぞれ、シアン（Ｃｙａｎ）、マゼンタ（Ｍａｇｅｎｔａ）、イエロー（Ｙｅｌｌｏｗ）についての最大値を求めるものである。ここでは、一例としてシアン（Ｃｙａｎ）についての最大墨量の求め方を中心に説明する。
【００６４】
まず目標色（Ｌ＊ｔ，ａ＊ｔ，ｂ＊ｔ）を設定し（Ｓ１１）、次に、シアンについての出力値（Ｃ）を最大墨量の条件であるＣ＝０に固定する（Ｓ１２）。最初の目標色はどんな値であってもかまわないが、例えば、Ｌ＊ｔ＝１００，ａ＊ｔ＝０，ｂ＊ｔ＝０等として設定する。
【００６５】
次に、ＣＭＹＫ信号をＣＩＥＬ＊ａ＊ｂ＊信号に変換するためのニューラルネットワークのモデルを設定する。即ち、モデルニューラルネットワーク：ＣＭＹＫ→ＣＩＥＬ＊ａ＊ｂ＊を設定する（Ｓ１３）。このモデルニューラルネットワークは例えば次のような方法にて求められる。
【００６６】
カラー画像出力装置３の画像信号であるＣＭＹＫ信号の組み合わせについての色パッチをカラー画像出力装置３より出力し、出力された色パッチについて色彩計によりＣＩＥＬ＊ａ＊ｂ＊値を測定する。そして、ＣＭＹＫ値とＣＩＥＬ＊ａ＊ｂ＊値のセットを用いてニューラルネットワークに学習させ、ＣＭＹＫ→ＣＩＥＬ＊ａ＊ｂ＊変換の場合の変換値を求める。
【００６７】
次に、Ｍ，Ｙ，Ｋをそれらの初期値Ｍｏ，Ｙｏ，Ｋｏに設定する（Ｓ１４）。これによって下記の関係となる。
【００６８】
【数４】
2004048440.tif 000006
【００６９】
次に、下式のような目標色と計算値の誤差エネルギー関数を設定する（Ｓ１５）。
【００７０】
【数５】
2004048440.tif 000007
【００７１】
さらに、目標色との誤差が減少するような下記の漸化式を設定する（Ｓ１６）。
【００７２】
【数６】
2004048440.tif 000008
【００７３】
次に、上記漸化式を解くことにより、Ｃ＝０の場合の最大墨量Ｋｃを求める（Ｓ１７）。
【００７４】
マゼンタ（Ｍａｇｅｎｔａ）およびイエロー（Ｙｅｌｌｏｗ）についても上記と同様の手順により、それぞれ最大墨量Ｋｍ，Ｋｙを求める（Ｓ２２〜Ｓ２７およびＳ３２〜Ｓ３７）。そして、これらＫｃ，Ｋｍ，Ｋｙの最大値を（Ｌ＊ｔ，ａ＊ｔ，ｂ＊ｔ）に対する最大墨量とする（Ｓ１８）。
【００７５】
さらに、目標値（Ｌ＊ｔ，ａ＊ｔ，ｂ＊ｔ）を順次変化させながら上記手順を繰り返し、それぞれの値に対応した最大墨量を求める（Ｓ１９）。第４色座標変換部２５では、これによって得られたＣＩＥＬ＊ａ＊ｂ＊信号とＫ信号との対応関係をダイレクトルックアップテーブル等に記憶しおく。
【００７６】
黒生成パラメータ演算部２６は、原稿の黒色点の彩度Ｃ＊に基づいて、黒生成用パラメータβを求める。原稿の黒色点の彩度Ｃ＊と黒生成用パラメータβとの関係は図５に示すとおりである。図５に示されている彩度Ｃ＊ｏは原稿の黒色点の彩度Ｃ＊の最大値、即ち無彩色を表す彩度の最大値である。これに対応する黒生成用パラメータβは１としておく。原稿の黒色点における彩度の最大値Ｃ＊ｏも前述の明度の場合と同様に各原稿モード用の値が黒色点記憶部２７に蓄えられており、原稿モード毎に最大値Ｃ＊ｏが切り替えられるものとする。
【００７７】
また、彩度Ｃ＊１はこの彩度以上の画像データについては黒を生成しないという値であり、例えば、肌色の彩度値などに設定しておく。彩度Ｃ＊１も彩度Ｃ＊ｏと同様、黒色点記憶部２７に記憶されている。なお、上記テーブルに存在しない黒色点の彩度Ｃ＊が入力された場合、黒生成パラメータ演算部２６は、黒色点補正部２３の場合と同様、黒色点記憶部２７に存在するデータに基づいて線形補間を行うことにより、その彩度Ｃ＊を黒生成用パラメータβに変換する。
【００７８】
上記のような処理は、γテーブルを使用した変換によっても可能であり、この場合には、黒色点記憶部２７が各原稿モード用のγテーブルを保持するようにしておけばよい。
【００７９】
黒生成パラメータ演算部２６では、前記の黒生成用パラメータβを用いて下式の演算により、最終的な黒色の値Ｋを求める。
【００８０】
Ｋ＝β・Ｋｍａｘ　　　（Ｋｍａｘ：第４色座標変換部２５の出力値）　　（７）
この式は、最大墨量（Ｋｍａｘ）に対して、彩度方向にどの程度のＫ値を足すのかを定義したものである。即ち、黒生成パラメータ演算部２６において、彩度を考慮して最終的な黒色の値Ｋ（Ｋ信号）を決定することにより、次段の第５色座標変換部２８では、上記Ｋ値に基づきカラー画像出力装置３において再現可能であり、かつ目標値に近いＣＭＹの値を求めることができる。
【００８１】
第５色座標変換部（請求項１に記載の第２の色座標変換部）２８は、ＣＭＹＫ→ＣＩＥＬ＊ａ＊ｂ＊と黒生成パラメータ演算後のＫ値とに基づいて、ＣＩＥＬ＊ａ＊ｂ＊をＣＭＹに変換する。即ち、ＣＩＥＬ＊ａ＊ｂ＊→ＣＭＹ変換を行う。この第５色座標変換部２８も、図４に基づいて説明した前記第４色座標変換部２５と同様、色座標変換値について予め次の方法により求め、その結果を例えばダイレクトルックアップテーブルに記憶している。
【００８２】
まず目標色（Ｌ＊ｔ，ａ＊ｔ，ｂ＊ｔ）を設定する。このときのＫ値は、目標値に対して一義的に決まる。これを仮にＫ１とする。
【００８３】
次に、ＣＭＹＫをＣＩＥＬ＊ａ＊ｂ＊に変換するためのニューラルネットワークのモデルを設定する。即ち、モデルニューラルネットワーク：ＣＭＹＫ→ＣＩＥＬ＊ａ＊ｂ＊を設定する。
【００８４】
次に、Ｍ，Ｙ，Ｋをそれらの初期値Ｍｏ，Ｙｏ，Ｋｏに設定する。これによって下記の関係となる。
【００８５】
【数７】
2004048440.tif 000009
【００８６】
次に、下式のような目標色と計算値の誤差エネルギー関数を設定する。
【００８７】
【数８】
2004048440.tif 000010
【００８８】
さらに、目標色との誤差が減少するような下記の漸化式を設定する。
【００８９】
【数９】
2004048440.tif 000011
【００９０】
次に、上記漸化式を解くことにより、目標色（Ｌ＊ｔ，ａ＊ｔ，ｂ＊ｔ）に対するＣＭＹが求まる。
【００９１】
さらに、上記手順を目標色（Ｌ＊ｔ，ａ＊ｔ，ｂ＊ｔ）を順次変化させながら繰り返し、それぞれの値に対応したＣＭＹを求める。そして、第５色座標変換部２８では、これらの対応関係をダイレクトルックアップテーブル等に記憶しておく。
【００９２】
次に、上記色補正部１５の動作を図６のフローチャートにより説明する。
まず、第１色座標変換部２１は、画像データであるＲＧＢ信号（第１の表色系よりなるカラー画像データ）を、機器に依存しない色信号（対機器独立信号）であるＣＩＥＬ＊ａ＊ｂ＊信号に変換する。即ち、ＲＧＢ→ＣＩＥＬ＊ａ＊ｂ＊変換を行う（Ｓ４１）。
【００９３】
次に、第２色座標変換部２２は、ＣＩＥＬ＊ａ＊ｂ＊信号をＬ＊Ｃ＊Ｈ（Ｈ：色相）信号に変換する。即ち、ＣＩＥＬ＊ａ＊ｂ＊→Ｌ＊Ｃ＊Ｈ変換を行う（Ｓ４２）。
【００９４】
次に、黒色点補正部２３は、原稿の黒色点の明度Ｌ＊を、カラー画像出力装置３の出力における黒色点の明度Ｌ＊’に変換する（Ｓ４３）。この場合、黒色点補正部２３は、例えば、設定されている原稿モードについての原稿の黒色点における明度Ｌ＊とカラー画像出力装置３の出力における黒色点の明度Ｌ＊’との対応関係を示すテーブルを参照する。
【００９５】
次に、第３色座標変換部２４は、第２色座標変換部２２とは逆に、Ｌ＊Ｃ＊Ｈ信号をＣＩＥＬ＊ａ＊ｂ＊信号に変換する。即ち、Ｌ＊Ｃ＊Ｈ→ＣＩＥＬ＊ａ＊ｂ＊変換を行う（Ｓ４４）。
【００９６】
次に、第４色座標変換部２５は、ダイレクトルックアップテーブルを参照して、最大墨量の条件を満たしたＣＩＥＬ＊ａ＊ｂ＊信号をＫ信号（黒信号）に変換する。即ち、ＣＩＥＬ＊ａ＊ｂ＊→Ｋ変換を行う（Ｓ４５）。
【００９７】
次に、黒生成パラメータ演算部２６は、原稿の黒色点の彩度Ｃ＊に基づいて、黒生成用パラメータβを求める。次に、黒生成パラメータ演算部２６は、前記の黒生成用パラメータβを用いて最終的な黒色の値Ｋを求める。即ち、原稿の黒色点の彩度データに基づいてＫデータを補正する（Ｓ４６）。
【００９８】
次に、第５色座標変換部２８は、ＣＭＹＫ→ＣＩＥＬ＊ａ＊ｂ＊と黒生成パラメータ演算後のＫ値とに基づいて、即ちダイレクトルックアップテーブルを参照して、ＣＩＥＬ＊ａ＊ｂ＊をＣＭＹに変換する。即ち、ＣＩＥＬ＊ａ＊ｂ＊→ＣＭＹ変換を行う（Ｓ４７）。
【００９９】
上記の処理において、色補正部１５の黒色点補正部２３では、原稿の黒色点の明度Ｌ＊を、カラー画像出力装置３の出力における黒色点の明度Ｌ＊’に変換している。即ち原稿の黒色点の明度Ｌ＊を、カラー画像出力装置３の色再現可能域に応じて補正している。したがって、色補正部１５ではカラー画像出力装置３の色再現可能域を最大限度に利用した色補正が可能なり、この結果、良好な色再現を行うことができる。
【０１００】
上記の色補正部１５では、第１〜第５色座標変換部２１，２２，２４，２５，２８、黒色点補正部２３、黒色点記憶部２７および黒生成パラメータ演算部２６を備える構成としている。しかしながら、色補正部１５は、例えば、第１色座標変換部２１と第２色座標変換部２２とが１個の色座標変換部からなり、この色座標変換部が入力画像データであるＲＧＢ信号を直接Ｌ＊Ｃ＊Ｈデータに変換する、即ちＲＧＢ→Ｌ＊Ｃ＊Ｈ変換を行うようにしてもよい。
【０１０１】
また、第３色座標変換部２４と第４色座標変換部２５とについても同様に、これらが１個の色座標変換部からなり、この色座標変換部がＬ＊Ｃ＊Ｈデータを直接Ｋ信号に変換する、即ちＬ＊Ｃ＊Ｈ→Ｋ変換を行うようにしてもよい。
【０１０２】
また、色補正部１５は、第１の表色系の入力画像データ、例えばカラー画像入力装置１から入力されるＲＧＢ信号を第２の表色系の出力画像データ、例えばＣＭＹＫ信号に変換する構成としてもよい。この構成では、原稿モード毎の黒色点に応じて求められた一連のＲＧＢ信号とＣＭＹＫ信号との対応関係を予め例えばルックアップテーブルに用意しておき、設定された原稿モード毎に上記対応関係を切り替えるようにしておけばよい。
【０１０３】
また、デジタルカラー複写機は、図２に示した構成に代えて、図７に示す構成であってもよい。このデジタルカラー複写機は前記カラー画像処理装置２に代えてカラー画像処理装置３１を備え、このカラー画像処理装置３１は、シェーディング補正部１２と入力階調補正部１３との間に原稿種別自動判別部（原稿種別判別手段）３２を備えている。
【０１０４】
このデジタルカラー複写機では、原稿モード毎の黒色点の選択をユーザが原稿モードを選択することによって行うのではなく、カラー画像入力装置１からの情報により上記原稿種別自動判別部３２が自動的に判別するようになっている。
【０１０５】
原稿種別自動判別部３２は、原稿が文字原稿であるか、写真原稿（印刷写真・印画紙写真）であるか、あるいはそれらが混在する文字／写真原稿であるかの判別を行う。以下にこの原稿種別自動判別動作の一例について説明する。その方法については、本願出願による先の出願である特願２００１−１２４５０にも記載されている。
【０１０６】
カラー画像入力装置１にてプレスキャンが行われ、カラー画像入力装置１から原稿の画像データが入力されると、原稿種別自動判別部３２は、濃度ヒストグラムより、予め定められる閾値よりも小さい低度数濃度区分の数、第１の最大度数の濃度区分、第１の最大度数の濃度区分に隣接する濃度区分以外で最大度数値をもつ第２の最大度数の濃度区分を求め、第１の最大度数値の総画素数に対する割合、（第１の最大度数値−第２の最大度数値）の総画素数に対する割合を算出する。そして、それらの値を予め定められた閾値と比較することにより、原稿を文字、写真、文字／写真の何れかに分類する。
【０１０７】
また、原稿種別自動判別部３２は、写真と判断した場合、入力画像データを２値化し、注目画素を含む複数の画素からなるマスクを設定し、主走査方向・副走査方向での「０」から「１」、「１」から「０」への変化点数の和を求めて（高速化のために主走査方向の変化点数だけでも良い）、予め定められた閾値以上ならば印刷写真（網点、印刷写真の場合、局所領域における画像信号の変動が大きい）、閾値未満ならば印画紙写真と判別するようにしても良い。
【０１０８】
原稿種別自動判別部３２の判別結果を示す原稿種別判別信号は、入力階調補正部１３、領域分離処理部１４、色補正部１５、空間フィルタ処理部１６および階調再現処理部１８に供給され、原稿の種別に応じ各部において適宜パラメータが設定され、あるいは処理内容が選択され、適切な処理が施される。
【０１０９】
上述したカラー画像処理装置２，３１がデジタルカラー複写機に適用される場合には、カラー画像入力装置１とカラー画像出力装置３とが通常変更されることなく固定されている。したがって、カラー画像処理装置２，３１は、これらカラー画像入力装置１およびカラー画像出力装置３における原稿の黒色点に基づいたＬＵＴ（ｌｏｏｋ−ｕｐ　ｔａｂｌｅ）またはパラメータ、即ち図３あるいは図５に示した関係を表すＬＵＴや、Ｌ＊，Ｌ＊’，Ｌ＊１，Ｌ＊’１，Ｃ＊ｏ，Ｃ＊１の値が黒色点記憶部２７に格納される。
【０１１０】
一方、上述したカラー画像処理装置２，３１が、画像処理サーバーとしてネットワークを介して画像入力装置や画像出力装置に接続されている場合には、上記のＬＵＴやパラメータをネットワークを介して接続されている画像入力装置（スキャナ等）や画像出力装置毎にコード等の符号を付けて保持しておき、画像データが送信されてきたときに、上記コードに基づいてどの画像入力装置からのデータであるかおよびどの画像出力装置で出力するのかを認識し（必要に応じては、色再現可能域の情報を画像出力装置より入手し）、対応するデータを読み出して処理が行われる。
【０１１１】
即ち、画像入力装置に対応するＬＵＴを用いてＲＧＢデータをＣＩＥＬ＊ａ＊ｂ＊信号に変換し、原稿の黒色点の値Ｌ＊、原稿の明度の最大値Ｌ＊１と画像出力装置の出力の明度Ｌ＊’との関係を予め定められた関係式に基づいて求め（この処理は原稿種別に応じて求められる）、画像出力装置のＣＩＥＬ＊ａ＊ｂ＊→Ｋ変換テーブル、ＣＩＥＬ＊ａ＊ｂ＊→ＣＭＹ変換テーブルによりＣＭＹＫの値が求められる。あるいは、上述したカラー画像処理装置２，３１をプリンタや複合機に適用しても良い。
【０１１２】
また、上記の色補正部１５およびそれによる色補正処理は、その処理をコンピュータに実行させるためのプログラムにより実現可能である。また、上記プログラムは、コンピュータ読み取り可能な記録媒体に記録することができる。この場合には、上記プログラムを記録した記録媒体を持ち運び自在に提供することができる。
【０１１３】
なお、本実施の形態において、上記の記録媒体（プログラムメディア）としては、コンピュータが備えるメモリ、例えばＲＯＭであってもよく、また外部記憶装置として設けられたプログラム読み取り装置に対して挿脱可能なものであってもよい。
【０１１４】
また、何れの場合においても、記録媒体に格納されているプログラムは、マイクロプロセッサが記録媒体にアクセスする構成であっても良いし、あるいは、マイクロプロセッサが記録媒体からプログラムを読み出し、そのプログラムをマイクロコンピュータのプログラム記憶エリアにダウンロードして実行する方式であってもよい。なお、このダウンロード用のプログラムは予めコンピュータに格納されているものとする。
【０１１５】
上記記録媒体（プログラムメディア）としては、磁気テープやカセットテープ等のテープ系のもの、フロッピー（登録商標）ディスクやハードディスク等の磁気ディスクもくしはＣＤ−ＲＯＭ、ＭＯ、ＭＤ、ＤＶＤ等の光ディスクを含むディスク系のもの、ＩＣカード（メモリカードを含む）もしくは光カード等のカード系のもの、またはマスクＲＯＭ、ＥＰＲＯＭ（Ｅｒａｓａｂｌｅ　Ｐｒｏｇｒａｍｍａｂｌｅ　Ｒｅａｄ　Ｏｎｌｙ　Ｍｅｍｏｒｙ）、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　ＯｎｌｙＭｅｍｏｒｙ）、フラッシュＲＯＭ等の半導体メモリを含む静的記憶を行うものであっても良い。
【０１１６】
また、本実施例においては、デジタルカラー複写機がインターネットを含む通信ネットワークと接続可能なシステム構成であることから、プログラムは、通信ネットワークからプログラムをダウンロードする場合のように、流動的にプログラムを担持するような媒体に担持されていても良い。なお、このように通信ネットワークからプログラムをダウンロードする場合には、そのダウンロード用のプログラムは予め本体装置に格納しておくか、あるいは別な記録媒体からインストールされるものであっても良い。
【０１１７】
上記記録媒体は、デジタルカラー画像形成装置やコンピュータシステムに備えられるプログラム読み取り装置により読み取られることで、上述した画像処理方法が実行される。特に、後者の場合、本画像処理方法をユーザの好みに応じて用いることが可能となる。
【０１１８】
カラー画像入力装置１、カラー画像処理装置２，３１、カラー画像出力装置３を含むコンピュータシステムは、フラットベッドスキャナ、フィルムスキャナもしくはデジタルカメラなどの画像入力装置（カラー画像入力装置１）、所定のプログラムがロードされることにより上記画像処理方法など様々な処理が行われるコンピュータ（カラー画像処理装置２，３１）、コンピュータの処理結果を紙などに出力するプリンタ（カラー画像出力装置３）により構成される。さらには、ネットワークを介してサーバーなどに接続するための通信手段としてのモデムなどが備えられる。
【０１１９】
本画像処理方法をこのコンピュータシステムで実行する場合、前述したように原稿の黒色点の明度Ｌ＊などのパラメータの設定を任意に変更することが容易になり、また、画像表示装置に示される結果に応じて改めて設定し直すなどユーザの好みに応じた処理が可能となる。パラメータの変更は、キーボードやマウスを用いて直接数値を入力すること、あるいはしきい値を表すシンボルをドラッグすることにより可能である。
【０１２０】
上記のように、本発明の画像処理装置および画像処理方法は、デジタル複写機などにおいて、原稿モードに応じて、Ｂｌａｃｋ　　Ｐｏｉｎｔ（ブラックポイント）を変更した４次元ルックアップテーブル方式の色補正処理を用いることにより、良好な色再現を行うようにしている。
【０１２１】
また、本発明の画像処理装置および画像処理方法は、画像入力手段より入力される原稿の黒色点に応じて画像出力手段の黒色点を対応させることにより黒信号を決定し、さらに彩度に応じて黒信号を求め、その黒信号を基にしてＣＭＹ信号を求めることにより実現される色補正処理により、原稿に応じた良好な色再現を実現し、かつ、画像出力装置の色再現可能域を最大限度に利用する（画像出力装置で再現可能であるＣＭＹＫの値を求める）ようにしている。
【０１２２】
本発明の画像処理方法は、画像入力手段より入力される第１の表色系よりなるカラー画像データを少なくとも黒色信号を含む４つ以上の第２の表色系よりなるカラー画像データに変換して画像出力手段に出力する色補正処理を行う画像処理方法において、上記色補正処理は、第１の表色系よりなるカラー画像データを機器独立信号に変換する第１の工程と、画像入力手段より入力される原稿の黒色点に応じて、上記画像出力手段の黒色点を対応させることにより、第２の表色系のカラー画像データの黒信号を決定する第２の工程と、上記第２の表色系のカラー画像データの黒信号と上記機器独立信号より第２の表色系の黒信号以外の色成分の信号を決定する第３の工程をもつ構成である。
【０１２３】
また、本発明の画像処理装置は、画像入力手段より入力される第１の表色系よりなるカラー画像データを少なくとも黒色信号を含む４つ以上の第２の表色系よりなるカラー画像データに変換して画像出力手段に出力する色補正手段を備える画像処理装置において、上記色補正手段は、第１の表色系よりなるカラー画像データを機器独立信号に変換する第１の色座標変換部と、画像入力手段より入力される原稿の黒色点に応じて、上記画像出力手段の黒色点を対応させることにより、第２の表色系のカラー画像データの黒信号を決定する黒色点補正部と、上記第２の表色系のカラー画像データの黒信号と上記機器独立信号より第２の表色系の黒信号以外の色成分の信号を決定する第５の色座標変換部を備える構成である。
【０１２４】
上記の構成によれば、原稿に応じた黒色点を設定し、第２の表色系の黒信号以外の色信号を決定することにより、画像出力装置の色再現可能域を最大限度に利用することができかつ、良好な色再現を行うことが可能となる。
【０１２５】
本発明の画像処理装置は、黒色点補正部が予め作成されているダイレクトルックアップテーブルを参照して第２画像データの黒信号を決定するようになっている。
【０１２６】
これにより、ハードウエアで本発明を実施した場合にダイレクトルックアップテーブルを用いることにより演算量を少なくし、高速に処理を行うことができる。
【０１２７】
【発明の効果】
以上のように、本発明の画像処理装置は、入力された第１の表色系からなるカラー画像データである第１画象データを、少なくとも黒色信号を含む４つ以上の第２の表色系からなるカラー画像データである第２画像データに変換して画像出力手段に出力する色補正手段を備える画像処理装置において、前記色補正手段は、第１画像データを機器に依存しない色信号である対機器独立信号に変換する第１の色座標変換部と、第１画像データにおける黒色点のデータを、前記画像出力手段の色再現可能域に応じて前記画像出力手段の出力における黒色点のデータに対応させることにより、第２画像データの黒信号を決定する黒色点補正部と、前記対機器独立信号を第２画像データに変換するとともに、この変換において、前記黒色点補正部から得られる第２画像データの黒信号に基づいて、第２画像データの黒信号以外の色成分の信号を決定する第２の色座標変換部とを備えている構成である。
【０１２８】
また、本発明の画像処理方法は、入力された第１の表色系からなるカラー画像データである第１画象データを、少なくとも黒色信号を含む４つ以上の第２の表色系からなるカラー画像データである第２画像データに変換して画像出力手段に出力する色補正処理を行う画像処理方法において、前記色補正処理は、第１画像データを機器に依存しない色信号である対機器独立信号に変換する第１のステップと、第１画像データにおける黒色点のデータを、前記画像出力手段の色再現可能域に応じて前記画像出力手段の出力における黒色点のデータに対応させることにより、第２画像データの黒信号を決定する第２のステップと、前記対機器独立信号を第２画像データに変換するとともに、この変換において、第２のステップにより得られる第２画像データの黒信号に基づいて、第２画像データの黒信号以外の色成分の信号を決定する第３のステップとを備えている構成である。
【０１２９】
これにより、画像出力装置の色再現可能域を最大限度に利用した良好な色再現が可能となる。
【０１３０】
上記の画像処理装置は、第１画像データが示す原稿の種類を判別する原稿種別判別手段を備え、前記黒色点補正部は、さらに前記原稿種別判別手段により判別された原稿の種別に応じて、第２画像データの黒信号を決定する構成としてもよい。
【０１３１】
上記の構成によれば、黒色点補正部により、さらに原稿の種別に応じて、自動的に第２画像データの黒信号が決定されるので、ユーザの手を煩わせることなく、原稿の種別に応じた良好な色再現を行うことが可能となる。
【０１３２】
上記の画像処理装置は、前記黒色点補正部が、前記原稿種別判別手段により第１画像データが示す原稿の種類が印刷写真と判別された場合に、印画紙写真と判別された場合よりも、原稿の黒色点を表す前記対機器独立信号の明度を高い値に設定する構成としてもよい。
【０１３３】
上記の構成によれば、第１画像データが示す原稿の種類が印刷写真である場合には印画紙写真である場合よりも第２画像データの黒信号として明度の高い値が設定される。したがって、印刷系原稿の場合には印画紙系原稿の場合よりも明度を高くした方が色再現性が良好となるという、印刷写真と印画紙写真との違いを考慮した良好な色再現が可能となる。即ち、原稿に応じた良好な色再現を行うことが可能となる。
【０１３４】
上記の画像処理装置は、前記の色補正手段が、さらに、第１画像データの彩度を表すデータに基づいて、第２画像データの黒信号を補正する黒生成パラメータ演算部を備えている構成としてもよい。
【０１３５】
上記の構成によれば、さらに画像データの彩度を考慮して黒信号が設定されるので、画像出力装置の色再現可能域をさらに適切に最大限度に利用することができ、良好な色再現を促進することができる。
【０１３６】
本発明のプログラムは、コンピュータに上記の何れかの色補正手段の機能を実現させるためのものである。
【０１３７】
上記の構成によれば、パーソナルコンピュータやワークステーション等の汎用のコンピュータにより色補正手段を実現することができる。
【０１３８】
本発明の記録媒体は、上記のプログラムを記録したコンピュータ読み取り可能なものである。
【０１３９】
上記の構成によれば、パーソナルコンピュータやワークステーション等の汎用のコンピュータにＣＤ−ＲＯＭ（Ｃｏｍｐａｃｔ　Ｄｉｓｃ−Ｒｅａｄ　Ｏｎｌｙ　Ｍｅｍｏｒｙ）等の記録媒体を介して、あるいはネットワークからのダウンロードによりプログラムを読み込ませて、読み込まれた画像に対して原稿の黒色点に応じて画像出力手段の黒色点を対応させて黒信号を決定し色補正処理を施し画像を出力することができる。また、ＤＰＳ（Ｄｉｇｉｔａｌ　Ｓｉｇｎａｌ　Ｐｒｏｃｅｓｓｏｒ）などで、ソフト処理を行うプリンタやデジタル複写機等に対しても同様に、フラッシュメモリや、書き換え可能な記録媒体にプログラム、テーブル、パラメータを読み込ませて、読み込まれた画像に対して上記色補正を施し画像を出力することができる。
【０１４０】
本発明の画像形成装置は、上記の画像処理装置を備えている構成である。これにより、画像入力手段より入力される原稿の黒色点に応じて画像出力手段の黒色点を対応させることにより黒信号を決定し、その黒信号を基にしてＣＭＹ信号を求めるので、原稿に応じた良好な色再現を実現でき、かつ画像出力装置の色再現可能域を最大限度に利用することができる画像形成装置を提供することができる。
【図面の簡単な説明】
【図１】本発明の実施の一形態における画像処理装置が備える色補正部の構成を示すブロック図である。
【図２】図１に示した色補正部を有するカラー画像処理装置を備えたデジタルカラー複写機の構成を示すブロック図である。
【図３】図１に示した黒色点補正部の動作を説明するものであって、原稿の黒色点明度と出力の黒色点明度との関係を示すグラフである。
【図４】図１に示した第４色座標変換部の動作を示すフローチャートである。
【図５】図１に示した黒生成パラメータ演算部の動作を説明するものであって、原稿の黒色点の彩度と黒生成パラメータとの関係を示すグラフである。
【図６】図１に示した色補正部の動作を示すフローチャートである。
【図７】図２に示したデジタルカラー複写機の他の例を示すブロック図である。
【図８】従来のカラー画像処理装置を備えたデジタルカラー複写機の構成を示すブロック図である。
【符号の説明】
１　　カラー画像入力装置
２，３１　　カラー画像処理装置
３　　カラー画像出力装置（画像出力手段）
１５　　色補正部（色補正手段）
２１　　第１色座標変換部
２２　　第２色座標変換部
２３　　黒色点補正部
２４　　第３色座標変換部
２５　　第４色座標変換部
２６　　黒生成パラメータ演算部
２７　　黒色点記憶部
２８　　第５色座標変換部
３２　　原稿種別自動判別部（原稿種別判別手段）
【図１】
2004048440.tif 000012
【図２】
2004048440.tif 000013
【図３】
2004048440.tif 000014
【図４】
2004048440.tif 000015
【図５】
2004048440.tif 000016
【図６】
2004048440.tif 000017
【図７】
2004048440.tif 000018
【図８】
2004048440.tif 000019